(57)【特許請求の範囲】
【請求項１】
二つ以上のケースが、連結部を介して開閉自在に連結係止されて折りたたみ機構を呈し、また樹木の葉とその枝棒を模して成る複数本の飾りツリーまたは門松飾材を、前記連結部に装着係止して装飾体を形成し、該装飾体が、折りたたみ状の前記ケース内に収納され、且つ開閉自在に見開き展示される形状の折りたたみ装飾体において、前記連結部に、一定間隔を設けて成る複数の溝孔または多数の掛けリングを配置し、さらに前記枝棒の根元端部をＬ字状若しくはコの字状に折り曲げて設けるとともに、各枝棒の根元端部を溝穴または掛けリングに配列枢設し、前記飾りツリーまたは門松飾材のそれぞれが、左右方向へ可動自在に構成されたことを特徴とする折りたたみ装飾体。
【発明の詳細な説明】
【０００１】
【発明に属する技術分野】
本発明は、クリスマスツリーや門松などの装飾体をケースに納め、開閉自在な折りたたみ型に構成することにより、展示には、大きく見開き自立展示装飾ができ、かつ収納には、ケースにコンパクトに折りたためられる装飾体に関する。
【０００２】
【従来の技術】
従来より、国民的行事には様々あるが、その中でも年末、年始の行事としてクリスマス行事に準備されるクリスマスツリーや、その後、新年を迎える為に門松飾りの用意などに慌ただしい日々が続く。特にクリスマス行事は、子供達が楽しみに待つ年末行事の一つでもある。その準備や手配も早期から行われるのが一般的である。又、クリスマスツリーの準備や装飾は、玩具店などで販売している卓上に飾るような小型のクリスマスセットを用意して展示したり、もう少し本格的な方法としては、模造ツリーや自然の樅の木を購入して、それに電飾照明や雪を模した綿、各種の付属装飾品を取り付けクリスマスツリー飾りを楽しんでいる。
【０００３】
また公知公開される技術に於いても、狭いスペースでも大きなクリスマスツリーを飾れる技術として、特開２００１−１７３０７によるクリスマスツリーがある。この技術は、樹木部は幹に沿った立平面位置を背面にして、その背面から前方の領域に複数の枝を配置し、鉢部の背面を樹木部の背面と位置揃えして成る構成のクリスマスツリー飾りでもあり、平面形状は、薄い円弧状を成すクリスマスツリーのため、狭いスペースでも対応できるものを提供している。
【０００４】
【発明が解決しようとする課題】
以上のようなクリスマスツリーや門松などの展示装飾品が提供され、それぞれの家庭に於いて、各行事に伴い予算やスペースなどを考慮したうえでツリーや門松を選択して催している。しかし、玩具店などで販売しているツリーや門松は、卓上に飾る程度に小さいのでボリューム感や豪華さに欠け見た目にも趣が無い。
一方、比較的に大きな一般家庭用の分解式や組み立て式では、展示に際し細かな組み立て飾り付けと楽しさも有り良いが、その行事の終了後には、再度細かく分解し、片付け、整えてしまい込む収納にも手間取り、かさばって、取り扱いも非常に面倒でかなり労力を要する程であった。そして、多くは枝の簡易な取り外しタイプであったり、枝のみの折りたたみ可能な簡易な程度の装飾品で、豪華さは有るが立体的で展示場所にも大きなスペースが必要な装飾品であった。
更に、公知公開されている技術は、平面形状が薄い円弧状であるので、大きくても周囲に立体的なスペースを取らず、何と言っても壁掛けには好都合だが、薄い形状なのでボリューム感や平面的で奥行きなどの立体感も無く、趣が希薄なうえ、電飾照明も備えていないので見栄えも悪く、豪華さに欠け、折りたたみもできず保管にも場所を取り、装飾性が低いクリスマスツリーの技術である。
【０００５】
【課題を解決するための手段】
本発明に係る折りたたみ装飾体は、展示装飾に際し、従来の装飾体の裏面で見えにくい部分に於いて、その不要な部分を削除して、展示スペースを大幅に削減させ、観賞しようとする装飾体部位のみをケースに納め、それらを鏡や反射板により映し補い、立体感を倍増させる効果的な演出を構成する。
すなわち本発明は、二つ以上のケースが、連結部を介して開閉自在に連結係止されて折りたたみ機構を呈し、また樹木の葉とその枝棒を模して成る複数本の飾りツリーまたは門松飾材を、前記連結部に装着係止して装飾体を形成し、該装飾体が、折りたたみ状の前記ケース内に収納され、且つ開閉自在に見開き展示される形状の折りたたみ装飾体において、前記連結部に、一定間隔を設けて成る複数の溝孔または多数の掛けリングを配置し、さらに前記枝棒の根元端部をＬ字状若しくはコの字状に折り曲げて設けるとともに、各枝棒の根元端部を溝穴または掛けリングに配列枢設し、前記飾りツリーまたは門松飾材のそれぞれが、左右方向へ可動自在に構成されたものである。
なお本発明を展示装飾するに際し、ケースを見開き解放後、綴じ込まれていた装飾体を左右にバランス良く展開する事で装飾ツリー体や門松装飾体を簡単に立体展示できる。
折りたたみ装飾体のケースの解放角度が広く展示される場合には、装飾足により転倒を防ぎ、開閉角度を固定し自立展示が可能となる。又、折りたたみや自立展示を固定する係止具によりケースを保持固定する。
【０００６】
【発明の実施の形態】
この発明に於ける折りたたみ装飾体１は、従来の樅の木や門松飾りの立体的な装飾品と比べて、折りたたみ可能で片付けに際しても容易でコンパクトに収納ができる。ショーウインドゥや一般家庭では展示場所が限られるので、装飾品全体を全方位に立体的な展示装飾を要さず、一方向からの鑑賞でも立体的に現す展示可能な形態を成す。見えない裏面を削除し、ケースの内側面に鏡、反射板２を取り付け映し出し補うことで展示鑑賞の作用は損なわれない。削減した部分の装飾品やコストの削減と展示スペースの減少などの経済的効果を生み、鏡の反射により装飾品数量も倍増して見え、立体的な鑑賞が可能な形態を成す折りたたみ装飾体である。
【０００７】
折りたたみ装飾体１の内側面に鏡、反射板２を貼り枢設し、二つ以上のケース３における綴りもと形状の連結部４ａ（単に連結部４ａと称する）やヒンジ形状の連結部４ｂ（単に連結部４ｂと称する）に、複数の溝穴８若しくは掛けリング５を設ける。そこを支点に装飾体の樅の木を模した飾りツリー１０ａの枝棒９を下部より上部に至るに従って順次短いものを装着係止させ、枝棒９を可動自在に配列した構成を成す。ケース３を開いて飾りツリー１０ａを左右にバランス良く展開するだけでスピーディにして容易に立体的な装飾ツリー体１０ｂを組み立てられる。少なくとも片面がケース３で、もう一方が仕切蓋１９でも折りたたみ装飾体１を成す事が可能で、単にクリスマスツリー飾りの装飾ツリー体１０ｂ若しくは、門松飾りの門松装飾体１１ｂ各々単独での折りたたみ装飾体１とする事もできる。
【０００８】
実施例２は、実施例１タイプの装飾ツリー体１０ｂに加えて、二つ以上のケース３、若しくは仕切蓋１９により間仕切り、門松装飾体１１ｂを形成したケース３を前実施例と同様に複合連結して成るので、クリスマス展示装飾が終わった後は、更に同じ要領で門松装飾体１１ｂを展示装飾することができる構成である。
【０００９】
【実施例】
実施例１
本発明の折りたたみ装飾体の実施例１を、クリスマス用の装飾ツリー体１０ｂを形成する場合を例として、図１乃至図４を参照して説明するが、本実施例は、装飾ツリー体１０ｂと後述する正月用の門松装飾体１１ｂ（これらを装飾体と総称する）のどちらかを実施の対象とするものである。
該実施例は発明の基本型を示し、折りたたみ装飾体１が、二つのケース３を介し、綴りもと形状の連結部４ａ若しくはヒンジ形状の連結部４ｂにより、開閉自在に連結係止されるとともに、ケース３の内側面に鏡、反射板２を設けて折りたたみ機構を成す。この場合における連結部４ａは、図４に示すように、複数の適宜な大きさの溝孔８が、上下方向に一定間隔を設けて配置されており、また連結部４ｂは、図２に示すように、バインダー状に似た掛けリング５が上下方向に一定間隔を設けて多数個配置されている。
また装飾ツリー体１０ｂは、樅の木などの樹木の葉やその枝棒９を模した長さの異なる飾りツリー１０ａを、装飾ツリー体１０ｂの下部より上部に至るに従って順次短く施し、樅の木に似せてクリスマスツリー形状に飾り整える。
その枝棒９の根元端部は、Ｌ字状若しくはコの字状に曲げられており、上述した複数の適宜の大きさの溝穴８や掛けリング５に差し込み、または掛け通して、脱落無く緊結にして、左右方向へ可動自在に配列枢設された構成とする。
なお装着係止される枝棒９を、弾力性の有する材料で使うことにより、枝棒９を溝穴８や掛けリング５に可動せず直接、連結部４ａや連結部４ｂに緊結係止されても一定期間に於ける使用頻度では、展示装飾に耐えられ支障が少ない。
【００１０】
上述した如く、装飾ツリー体１０ｂは、複数本の飾りツリー１０ａから構成され、各々は個別に可動自在を成し、閉じる時にはケース３によってそれらが挟み込まれ、薄くコンパクトに収納される。又、ケース３を開くと内部の装飾ツリー体１０ｂは、挟み込まれたままの状態と成ってしまうので、開放後、それぞれの複数本の飾りツリー１０ａを左右にバランス良く開き、展開させスピーディに立体的な装飾ツリー体１０ｂの展示装飾を可能にする。更に、それらの飾りツリー１０ａをあらかじめの展示位置に想定し、各々飾りツリー１０ａ同士やケース３の内側面などに、結束線１４ｂを経由し繋ぎ止めて置くことで、ケースの見開き動作で伸縮により引っ張られ、バランス良く自動的に展示させる事が可能となる。
装飾ツリー体１０ｂの下部の根本は、ケース３を大きく見開いた時に折りたたみ装飾体１が、前後に転倒を防止する機能を有する転倒防止材１６ｂを成し見栄え良く植木鉢を模した装飾足１６ａを形成する。そして、この装飾足１６ａは展示に際しケース３の開閉位置を固定する係止具の機能も兼ね備え果たしている。更に、この装飾足１６ａは折りたたみに支障の無い折り曲げ可能な機構を成す。折りたたみ装飾体１は、コンセント１２ｃより装飾足１６ａの裏側で見えない位置から配線１２ｂで電源を供給しケース３の内部に引き込み、複数本の飾りツリー１０ａに巻き付け係止し、電飾照明部材１２ａを配し飾り付けを構成する。
【００１１】
折りたたみ装飾体１は、少なくともケース３の片側ケースを仕切蓋１９に代えて構成しても収納時に装飾体を納めケース包装を成していれば何ら支障が無い。
ケース３の内側面は鏡、反射板２が枢設しているので、装飾ツリー体１０ｂや電飾照明部材１２ａその他の各種の飾り付け品も映えて、電飾数も映し出され倍増に見え美しく奥行き感を出す構成とする。
折りたたみ装飾体１の掛けリング５や軸管の最上部には、装飾ツリー体１０ｂの象徴でもある星形や人形などの付帯装飾品を差し込み展示が可能である。
折りたたみ装飾体１のケース３には、収納時にケース３を閉じ内部の装飾体が外部に飛び出すのを防ぎ、更に、展示位置や見開き角度を固定させケース３を緊結に固定する係止具１７を取り付ける。ケース３を閉じ上部に吊下フック１８を設け、吊り下げ展示にも使用できる実施例１の折りたたみ装飾体１を構成する。
【００１２】
実施例２
この発明の折りたたみ装飾体の実施例２を、図５を参照して説明する。該実施例は、前記実施例１の二つ以上のケース３が連結部４ａを介し、２種類の装飾体すなわち装飾ツリー体１０ｂと門松装飾体１１ｂを複合して折りたたみ装飾体１を構成する。折りたたみ装飾体１を構成する少し深目のケース３の片側に、一方の向き合うケース３を仕切蓋１９に代え連結係止させ、その両内側面に鏡、反射板２を施し、装飾ツリー体１０ｂを綴じ込み形成し、そして更に、仕切蓋１９を挟み他方のケース３を重ね連結係止させ、門松装飾体１１ｂを綴じ込み形成し前記実施例の形態を成す折りたたみ装飾体１を構成する。
門松装飾体１１ｂは、３本から成る竹飾材２０を松飾材２１で囲み、笹や梅飾材２２の各々樹木の葉や枝を模した複数本の門松飾材１１ａを軸棒６または軸管７に装着係止し、かつ可動自在に構成する。なお軸管７を用いる事で、その軸管７に一定間隔に多数個の適宜の長さの溝穴８を設け、飾りツリー１０ａと同様に、門松飾材１１ａの枝棒９を差し込み、掛け通しにより脱落無く緊結にして、かつ可動自在に掛け留めして形成する事も可能と成る。
門松装飾体１１ｂの下部の根本には、見栄え良くジャバラ状の荒縄で結んだむしろ廻しを模した折りたたみに支障の無い伸縮自在な装飾足１６ａを設け、ケース３の内側面に係止し、折り曲げ可能な構成を成す。この装飾足１６ａは、ケース３を大きく見開いた時に折りたたみ装飾体１が前後への転倒を防止する機能と成る転倒防止材１６ｂを形成する。そして、展示装飾に際しケース３を自立させ開閉位置を固定する係止具の機能も兼ね備え果たしている。
装飾体の２つ以上のケース３は、その全てをケース３に限り用いる迄には及ばず、途中に仕切蓋１９を挟み込んでも折りたたみ装飾体１のケース３は、それぞれ連結部４ａ若しくは連結部４ｂにより一体に連結する機構を成す。
以上の様な複合型の折りたたみ装飾体１を形成させ、展示に際し、門松飾材１１ａを左右にバランス良く展開するだけでスピーディにして容易に立体的な装飾ツリー体１０ｂや門松装飾体１１ｂを組み立て構成する。
【００１３】
【発明の効果】
本発明のクリスマスツリー飾りおよび門松飾りに於いて、従来の組み立て式では、飾り付け、収納にとても面倒で、かなり労力を要する程の装飾品で、枝などの簡易な取り外しタイプであったり、枝のみの折りたたみ可能な簡易な程度の装飾品が主流であったが、その装飾体をケースに納め、開閉自在な展示装飾及び収納を可能とする折りたたみ装飾体を成す。通常のショーウインドゥや一般家庭などで展示スペースが限られ、その多くが壁や窓を背にして展示される用途に供され、装飾品を中央に置き、全方向からの鑑賞を必要としない展示装飾が容易にして、コンパクトに収納可能な折りたたみ装飾体を提供する。
展示スペースが広く有れば、全体を立体的に展示装飾する意味を成しますが、展示スペースや設置場所により、一方方向からの鑑賞が主で、装飾体の裏側に廻り込まなければ鑑賞する事ができ無い場合に、その見えない裏側の装飾体を削除して、樹木の樅の木や門松飾りの装飾体を鏡や反射板で映し出し、鑑賞しても何ら機能が損なわれず、遙かに装飾体の立体感やボリューム感を増大する。
装飾体の裏側の削減は、展示スペースの減少やコストも削減され、鏡などの反射により、電飾照明部材の数量も倍増し映るので美しく奥行き感も出る。更に、軽量化され折りたたみ収納が可能と成るので、片付けに際しても容易でコンパクトに収納できる。狭いスペースしか無い家庭では、部屋のコーナーを有効に利用し大きなクリスマスツリーを展示装飾して楽しむ事ができる。
本発明は、開閉する二つ以上のケースで折りたたみ装飾体を構成し、装飾体の枝棒の根元端部がＬ字状やコの字状の簡易な形状で装着係止されるので、各々が脱落すること無く緊結に装着係止され、かつ左右方向へ可動自在に配列されているので展示装飾に際してもスムーズである。更に、枝棒を展示装飾位置にあらかじめ結束線により繋ぎ止め置くことで、ケースの開示する動作で、自動的にバランス良く見開き展示装飾が可能となる。
装飾体を複合連結したタイプは、クリスマスが終わった後、見開きケースをめくる事で迎える新年に見栄えの良い本格的な門松展示装飾を簡単に展示できる。
【図面の簡単な説明】
【図１】  本発明の折りたたみ装飾体を実施例１の展示した状態に示す斜視図である。
【図２】  実施例１の折りたたみ装飾体を示す要部斜視図である。
【図３】  実施例１のケースを折りたたんだ状態を示す斜視図である。
【図４】  実施例１の綴りもと形状の連結部に於ける要部拡大斜視図である。
【図５】  実施例２の折りたたみ装飾体を示す斜視図である。
【符号の説明】
１・・・折りたたみ装飾体
２・・・鏡、反射板
３・・・ケース
４ａ・・連結部
４ｂ・・連結部
５・・・掛けリング
８・・・溝穴
９・・・枝棒
１０ａ・・飾りツリー
１０ｂ・・装飾ツリー体
１１ａ・・門松飾材
１１ｂ・・門松装飾体
１２ａ・・電飾照明部材
１２ｂ・・配線
１２ｃ・・コンセント
１４ｂ・・結束線
１６ａ・・装飾足
１７・・・係止具
１８・・・吊下フック
１９・・・仕切蓋
２０・・・竹飾材
２１・・・松飾材
２２・・・梅飾材
【図１】
0004195246.tif 000002
【図２】
0004195246.tif 000003
【図３】
0004195246.tif 000004
【図４】
0004195246.tif 000005
【図５】
0004195246.tif 000006